(57)【要約】【課題】  既存建築物を解体することなく上方へと増築された建築物において、増築階の床下の湿気を効果的に除去することができ、増築階の床下において建築部材の腐食や黴の発生を防止して、増築物の寿命を延ばすことを可能とすること。【解決手段】  既存建築物の基礎の外側に増築用基礎が設けられ、その上に支持部材が立設され、既存建築物の屋根の上方に支持部材の頂部で支持される増築屋根が設けられ、増築屋根の下方であって且つ既存建築物の屋根の上方には支持部材の中途部で支持される新たな床部材が設けられ、新たな床部材と増築屋根との間に新たな居住空間が設けられ、支持部材の外側には新たな壁部材が装着された建築物であって、新たな壁部材と既存建築物の壁部材との間に形成される空間が、新たな床部材と既存建築物の頂部との間に形成される空間を換気するための換気用通路とされ、換気用通路は換気口を介して外部と連通されている。【選択図】  図１
2006169834.tif 000002
【特許請求の範囲】
【請求項１】
既存建築物の基礎の外側に増築用基礎が設けられ、この増築用基礎の上に支持部材が立設され、既存建築物の屋根の上方に前記支持部材の頂部で支持される増築屋根が設けられ、この増築屋根の下方であって且つ既存建築物の屋根の上方には前記支持部材の中途部で支持される新たな床部材が設けられ、この新たな床部材と前記増築屋根との間に新たな居住空間が設けられ、前記支持部材の外側には新たな壁部材が装着されてなる建築物であって、前記新たな壁部材と既存建築物の壁部材との間に形成される空間が、前記新たな床部材と前記既存建築物の頂部との間に形成される空間を換気するための換気用通路とされてなり、該換気用通路は換気口を介して外部と連通されていることを特徴とする換気構造付き増築建築物。
【請求項２】
前記新たな壁部材が既存建築物の周囲全体を囲うように前記支持部材に装着され、前記換気口が既存建築物の周囲において新たな壁部材又は増築用基礎に設けられてなることを特徴とする請求項１記載の換気構造付き増築建築物。
【請求項３】
前記換気口が既存建築物の周囲における上方位置と下方位置に設けられてなり、前記上方位置に設けられた換気口は、前記新たな床部材と前記既存建築物の頂部との間に形成される空間に面して開口していることを特徴とする請求項２記載の換気構造付き増築建築物。
【請求項４】
前記新たな壁部材が既存建築物の周囲の上方部分のみを囲うように前記支持部材に装着され、該新たな壁部材の下端部と前記既存建築物の壁部材の表面を連絡する連絡部材が設けられ、前記換気口が該連絡部材に設けられてなることを特徴とする請求項１記載の換気構造付き増築建築物。
【請求項５】
前記換気用通路に、該通路内の空気を前記換気口へと送るためのファンが配設されてなることを特徴とする請求項１乃至４いずれかに記載の換気構造付き増築建築物。
【発明の詳細な説明】
【技術分野】
【０００１】
本発明は、既存建築物を解体することなく上方へと増築された建築物において、増築階の床下の湿気を効果的に除去することができる換気構造を備えた増築建築物に関する。
【背景技術】
【０００２】
従来、例えば２階建ての建物を３階建てにするためには、柱や壁、梁等の強度の関係から、２階の上部に更に新規の３階部分を構築することはできず、先ず既存の２階建ての建物を全て撤去し、その跡地に３階建ての建物を構築する他はなかったが、このような従来の方法は、不経済であるばかりでなく、産業廃棄物の増加を引き起こし、また居住者は新規建物が完成するまで転居を強いられることとなっていた。
【０００３】
そこで、このような実情に鑑みて、本願発明者は、既存の建物を活用し、居住者が一時的にせよ転居することなく、そのまま鉛直方向上方に増築が可能な建築方法および建築物を提案している（特許文献１参照）。
この特許文献１に記載の発明は、既存の建物の周囲を囲うように新たな基礎を設け、新たな基礎の上部に鉄骨柱を立設して既存建物の上方に新規建物を構築するという斬新な発想に基づいたものであり、従来の増築方法に関わる問題点の多くを解決することができる非常に斬新で優れたものである。
【０００４】
しかしながら、この特許文献１に記載の発明は、従来にない斬新な工法であるが故に、従来の建築物では考慮する必要がない以下の問題点を有していた。
すなわち、この特許文献１に記載の発明は、既存建物を解体せずに残すという特殊な増築工法であるために、増築階の床下と既存建物との間に必然的に空間が生じるが、この空間は増築物の外壁によって外部から遮断されていることから湿気が溜まりやすい。そのため、増築階の床下において部材の腐食や黴の発生が引き起こされ、建物全体の寿命を縮めてしまうおそれがあった。
【０００５】
このように、特許文献１の発明により得られる増築物は、既存建物を解体することなく増築するという従来にない新たな発想に基づいたものであるが故に、従来の建物では左程問題とならない２階以上の床下の湿気対策が大きな問題となっていた。
【０００６】
【特許文献１】特開２０００−２８２６９６号公報
【発明の開示】
【発明が解決しようとする課題】
【０００７】
本発明は上記課題を解決すべくなされたものであって、既存建築物を解体することなく上方へと増築された建築物において、増築階の床下の湿気を効果的に除去することができ、増築階の床下において建築部材の腐食や黴の発生を防止して、増築物の寿命を延ばすことを可能とする換気構造を備えた増築建築物を提供するものである。
【課題を解決するための手段】
【０００８】
請求項１に係る発明は、既存建築物の基礎の外側に増築用基礎が設けられ、この増築用基礎の上に支持部材が立設され、既存建築物の屋根の上方に前記支持部材の頂部で支持される増築屋根が設けられ、この増築屋根の下方であって且つ既存建築物の屋根の上方には前記支持部材の中途部で支持される新たな床部材が設けられ、この新たな床部材と前記増築屋根との間に新たな居住空間が設けられ、前記支持部材の外側には新たな壁部材が装着されてなる建築物であって、前記新たな壁部材と既存建築物の壁部材との間に形成される空間が、前記新たな床部材と前記既存建築物の頂部との間に形成される空間を換気するための換気用通路とされてなり、該換気用通路は換気口を介して外部と連通されていることを特徴とする換気構造付き増築建築物に関する。
【０００９】
請求項２に係る発明は、前記新たな壁部材が既存建築物の周囲全体を囲うように前記支持部材に装着され、前記換気口が既存建築物の周囲において新たな壁部材又は増築用基礎に設けられてなることを特徴とする請求項１記載の換気構造付き増築建築物に関する。
請求項３に係る発明は、前記換気口が新たな壁部材の上方位置と下方位置に設けられてなることを特徴とする請求項２記載の換気構造付き増築建築物に関する。
【００１０】
請求項４に係る発明は、前記換気口が既存建築物の周囲における上方位置と下方位置に設けられてなり、前記上方位置に設けられた換気口は、前記新たな床部材と前記既存建築物の頂部との間に形成される空間に面して開口していることを特徴とする請求項２記載の換気構造付き増築建築物に関する。
請求項５に係る発明は、前記換気用通路に、該通路内の空気を前記換気口へと送るためのファンが配設されてなることを特徴とする請求項１乃至４いずれかに記載の換気構造付き増築建築物に関する。
【発明の効果】
【００１１】
請求項１に係る発明によれば、新たな壁部材と既存建築物の壁部材との間に形成される空間が、新たな床部材と前記既存建築物の頂部との間に形成される空間を換気するための換気用通路とされ、該換気用通路と外部とを連通させる換気口が設けられているので、増築階の床下空間の空気を、換気用通路及び換気口を介して外部の空気と入れ替えることが可能となる。従って、増築階の床下空間における湿気の増加を抑えることができ、建築部材の腐食や黴の発生を防止して、増築物の寿命を延ばすことが可能となる。
【００１２】
請求項２に係る発明によれば、新たな壁部材が既存建築物の周囲全体を囲うように支持部材に装着され、既存建築物の周囲において新たな壁部材に換気口が設けられているので、既存建物と新たな壁部材との間に空気層が形成されて断熱効果が発揮されるとともに、換気口を介して増築階の床下空間の空気を外部の空気と入れ替えることが可能となる。従って、既存建築部分に断熱効果を有しながら、増築階の床下空間における湿気の増加を抑えることができる優れた増築建築物となる。
請求項３に係る発明によれば、換気口が新たな壁部材の上方位置と下方位置に設けられているので、換気用通路内と外部空間との間で空気を対流させることが可能となり、増築階の床下空間の空気を効率良く換気することができる。
【００１３】
請求項４に係る発明によれば、新たな壁部材が既存建築物の周囲の上方部分のみを囲うように支持部材に装着されているので、地表近くからの湿気が既存建築物と新たな壁部材との間の空間に入り込みにくく、増築階の床下空間に湿気がたまりにくい。しかも、増築階の床下空間の空気を、新たな壁部材の下端部と既存建築物の壁部材の表面を連絡する連絡部材に設けられた換気口を介して外気と入れ替えることができるので、増築階の床下空間における湿気の増加を効果的に抑制することが可能となる。
請求項５に係る発明によれば、換気用通路に、換気通路内の空気を換気口へと送るためのファンが配設されているので、増築階の床下空間の空気を、強制的に換気用通路及び換気口を介して外部の空気と入れ替えることが可能となり、高い湿気抑制効果を発揮することができる。
【発明を実施するための最良の形態】
【００１４】
以下、本発明に係る換気構造付き増築建築物の好適な実施形態について、図面を参照しつつ説明する。
図１乃至図４は本発明に係る換気構造付き増築建築物を示す概略断面図である。
本発明に係る増築建築物（１）は、既存建築物（２）の基礎の外側に増築用基礎を設け、増築用基礎の上に鉄骨柱等からなる支持部材（３）を立設し、既存建築物の屋根（４）の上方に支持部材（３）の頂部で支持される増築屋根（５）を設け、この増築屋根（５）の下方であって且つ既存建築物の屋根（４）の上方に支持部材（３）の中途部で支持される梁（６）を設け、この梁（６）の上部に新たな床部材（７）を設けることにより、新たな床部材（７）と増築屋根（５）との間に新たな居住空間（８）を設け、支持部材（３）の外側には新たな壁部材（９）を装着することにより得られた建築物である。
【００１５】
本発明においては、上記増築方法において、増築屋根（５）を設けた後に、既存建築物（２）の屋根（４）は除去してもよいし、除去せずに残しておいてもよい。屋根（４）を残しておく場合には、重量負担を軽減するために、瓦、スレート、防水層等の表皮部材のみ撤去することが好ましいが、必ずしも撤去せずともよい。
【００１６】
既存建築物（２）の屋根（４）は、図示例では陸屋根が示されているが、その形状は特に限定されず、陸屋根の他に、寄棟屋根、方形屋根、六柱屋根、八柱屋根、Ｍ型屋根、Ｙ型屋根、鋸屋根、越し屋根、切妻屋根、招き屋根、片流れ屋根、下屋付き招き屋根、棟違い屋根、乗り越し屋根、腰折れ屋根、半切妻屋根、入母屋屋根、しころ屋根、マンサード屋根、隅切屋根、反り屋根、ドーム屋根、ボールト、バタフライ等の既存建物で用いられている任意の形状の屋根であってよい。
【００１７】
また、既存建築物（２）及び増築建築物（１）の階数についても特に限定されず、例えば既存建築物（２）は１階建て、２階建て、３階建て、４階建て、５階建て等とすることができ、増築建築物（１）は２階建て、３階建て、４階建て、５階建て、６階建て、７階建て等とすることができる。尚、図中（１４）は３階の床部材を支持する梁、（１５）は屋根部材を支持する梁、（１６）は３階の居住空間、（１７）は２階の床部材である。
【００１８】
既存建築物（２）の種類は、戸建て住宅や集合住宅等の住宅でもよいし、コンビニエンスストア、スーパーマーケット、デパート等の店舗でもよいし、学校や役所などの公共施設であってもよいし、オフィスビル等であってもよく、特に限定されない。
【００１９】
本発明に係る増築建築物（１）は、上記構成からなる増築建築物において、新たな壁部材（９）と既存建築物（２）の壁部材（１８）との間に形成される空間（Ａ）を、新たな床部材（７）と既存建築物の頂部（図示例では屋根（４））との間に形成される空間（Ｂ）を換気するための換気用通路とし、この換気用通路と外部（増築建築物の外部）を連通させるための換気口（１１）を形成したものである。
【００２０】
既存建築物の頂部とは、増築建築物（１）において、既存建築物の屋根が除去されていない場合には既存建築物（２）の屋根（４）を指し、既存建築物の屋根（小屋組み等）が除去されている場合には除去された後の最上部を指す。
尚、以下の文章では、「既存建築物の頂部」を「既存建築物の屋根」として説明しているが、これは図面に基づく理解を容易にするためであって、本発明は全ての実施形態において既存建築物の屋根が除去されている場合も含むものである。
【００２１】
図１及び図２は１階建ての既存建築物（２）を増築して得られた３階建ての増築建築物（１）であり、図３及び図４は２階建ての既存建築物（２）を増築して得られた３階建ての増築建築物（１）である。尚、図中の矢印は空気の流れを示している。
【００２２】
図１及び図３の増築建築物（１）では、新たな壁部材（９）が既存建築物（２）の周囲全体を囲うように支持部材（３）に装着されている。すなわち、支持部材（３）の全高に亘って新たな壁部材（９）が装着されているものである。
一方、図２及び図４の増築建築物（１）では、新たな壁部材（９）が既存建築物（２）の周囲の上方部分のみを囲うように支持部材（３）に装着されている。すなわち、支持部材（３）の下端部から一定高さまでの部分、具体的には既存建築物（２）の屋根（４）よりも僅かに下方までの部分には新たな壁部材（９）が装着されておらず、既存建築物（２）の外壁が露出されているものである。
【００２３】
先ず、図１及び図３に示すような、新たな壁部材（９）が既存建築物（２）の周囲全体を囲うように支持部材（３）に装着されている増築建築物（１）の換気構造について説明する。
これらの増築建築物（１）では、既存建築物（２）の周囲において新たな壁部材（９）に上述した換気口（１１）が設けられている。換気口（１１）は、全ての壁部材（壁面）に設けることが好ましいが、少なくとも向かい合う２つの壁部材（壁面）に設けることが好ましい。
尚、換気口（１１）は、新たな壁部材（９）に設ける代わりに、或いはこれに加えて増築用基礎の地上部に設けることもできる。
【００２４】
このように、既存建築物（２）の周囲において新たな壁部材（９）もしくは増築用基礎に換気口（１１）が設けられていることにより、新たな床部材（７）と既存建築物の屋根（４）との間に形成される空間（Ｂ）の空気が、新たな壁部材（９）と既存建築物（２）の壁部材（１８）との間に形成される空間（Ａ）から換気口（１１）を通って外部へと排出されるようになる。
このとき、図示例のように、換気口（１１）が壁部材（９）の下方位置（具体的には地表面に近い高さ位置）もしくは増築用基礎に設けられていると、湿気を含んだ空気は重いために下方へと流れることから、湿気が外部に排出され易くなるため好ましい。
【００２５】
換気口（１１）は、例えば、壁部材（９）もしくは増築用基礎に開けた穴に鉄格子や有孔ボードを取り付けることにより形成することができる。
【００２６】
図１及び図３に示した増築建築物（１）において、換気口（１１）を新たな壁部材（９）の上方位置と下方位置に設けることもできる。ここで、上方位置については既存建築物（２）の屋根（４）とほぼ同じか僅かに高い位置であって、換気口（１１）が新たな床部材（７）と既存建築物の頂部（図示例では屋根（４））との間に形成される空間（Ｂ）に面して開口するように設けることが好ましい。下方位置については地表面に近い高さ位置とすることが好ましく、増築用基礎に設けることもできる。
【００２７】
図５は、図３示の増築建築物（１）においてかかる構成を採用した場合を示している。
図示のように、換気口（１１）を換気用通路（Ａ）の上方位置と下方位置に設けることによって、換気用通路（Ａ）内と外部空間との間で空気を対流させることが可能となり、この対流に伴って増築階の床下空間（Ｂ）の空気を効率良く換気することができる。
【００２８】
図１、図３、図５に示した増築建築物（１）では、新たな壁部材（９）が既存建築物（２）の周囲全体を囲うように支持部材（３）に装着されているので、既存建物（２）と新たな壁部材（９）との間に空気層が形成されて断熱効果が発揮される。
同時に、新たな壁部材（９）もしくは増築用基礎に設けられた換気口（１１）を介して増築階の床下空間（Ｂ）の空気を外部の空気と入れ替えることが可能となる。
従って、既存建築物部分に断熱効果を有しながら、増築階の床下空間における湿気の増加を抑えることができる優れた増築建築物となる。
【００２９】
次に、図２及び図４に示すような、新たな壁部材（９）が既存建築物（２）の周囲の上方部分のみを囲うように支持部材（３）に装着されている増築建築物（１）の換気構造について説明する。
これらの増築建築物（１）では、新たな壁部材（９）の下端部と既存建築物（２）の壁部材（１８）の表面を連絡する連絡部材（１２）が設けられており、上述した換気口（１１）がこの連絡部材（１２）に設けられている。
連絡部材（１２）と既存建築物（２）の壁部材表面との間には、隙間が生じないようにすることが好ましいが、僅かな隙間を設けることもできる。
【００３０】
図６及び図７はこの連絡部材（１２）と換気口（１１）の構造をより分かり易く示した図である。図６は、図２及び図４の連絡部材（１２）と換気口（１１）の部分を拡大して抽出した図であり、図７は図４示の増築建築物（１）を概略的に示す外観図とその楕円内を拡大した図である。
連絡部材（１２）は、図６に示すように新たな壁部材（９）の下端部から既存建築物（２）の壁部材（１８）の表面に至るように略水平に取り付けられたプレートであって、その長さ方向において所定間隔で換気口（１１）が設けられている。
換気口（１１）は、連絡部材（１２）に開けた穴に鉄格子や有孔ボードを取り付けることにより形成することができる。
【００３１】
連絡部材（１２）は、既存建築物（２）の屋根（４）よりも僅かに下方位置に設けられており、この部分が既存建築物（２）から外方に迫り出していることにより、建築物の軒としての役目も果たしている。
【００３２】
このような増築建築物（１）では、新たな壁部材（９）と既存建築物（２）の壁部材（１８）との間に形成される空間（Ａ）が地表面まで達していないので、地表近くからの湿気が既存建築物と新たな壁部材との間の空間に入り込みにくく、増築階の床下空間（Ｂ）に湿気がたまりにくい。
その上、増築階の床下空間（Ｂ）の空気を、連絡部材（１２）に設けられた換気口（１１）を介して外気と入れ替えることができるので、増築階の床下空間における湿気の増加を効果的に抑制することが可能となる。
【００３３】
本発明においては、上記した全ての実施形態において、換気用通路（Ａ）に、この通路内の空気を換気口（１１）へと送るためのファンを配設することができる。
図８乃至図１１は、図１乃至図４の増築建築物（１）において、換気用通路（Ａ）にファン（１３）を配設した例を示す図である。
【００３４】
ファン（１３）は、換気用通路（Ａ）の上下方向に空気の流れをつくりだすように設けられており、ファン（１３）の回転によって、換気用通路（Ａ）内の空気を強制的に換気口（１１）から外部へと排出したり、逆に外部の空気を換気口（１１）から強制的に換気用通路（Ａ）内に取り入れることができるようになっている。
【００３５】
尚、ファン（１３）の数や位置は図示例に限定されず、例えば、新たな増築階の床下空間（Ｂ）にもファンを配置して、床下空間（Ｂ）から換気用通路（Ａ）に向かう略水平方向の空気の流れをつくりだす構成や、換気口（１１）に面するようにファンを配置して換気口からの空気の出入りを良好にする構成も好ましく採用できる。本発明においてはこれら例示したファンの２以上の配置を任意に組み合わせて採用することができる。
【００３６】
また、本発明においては、床下空間（Ｂ）及び／又は換気用通路（Ａ）に湿度センサを設置し、湿度センサにより計測された相対湿度値が一定値を超えた場合に自動的にファンを作動させる作動制御装置を設ける構成とすることもできる。
また、湿度センサにより計測された相対湿度値に応じて、ファンの回転を正方向と逆方向に切り換えて、床下空間（Ｂ）の空気を換気口（１１）から外部に流出させる空気の流れと、外部の空気を換気口（１１）から床下空間（Ｂ）に取り入れる流れとを自動的に切り換える切り替え制御装置を設ける構成とすることもできる。
【００３７】
更に、本発明においては、床下空間（Ｂ）及び／又は換気用通路（Ａ）に調湿材料を配設することもできる。調湿材料は、そのままの状態で散布してもよいし、袋等の容器に入れて配置することもできる。
調湿材料としては、例えば、珪藻頁岩、酸性白土、活性白土、活性炭、木炭、竹炭、セピオライト、ゼオライト、シリカゲル、アルミノ珪酸塩、パーライト、アタノジャイト、アタパルジャイト、アロフェン、モンモリロナイト、軽量気泡コンクリート等を使用することができる。
【００３８】
増築屋根（５）の上部には、人工地盤を設けて、植物を植えて庭園をつくったり、温室を設けて野菜や草花の温室栽培をしたり、囲いを設けて動物を飼育することができる。
増築屋根（５）の上部に植物を植えることによって、近年都市部において大きな問題となっているヒートアイランド現象の緩和に役立つことができる。また、ヒートアイランド現象の緩和の観点からは、新たな壁部材（９）の表面に植物を植えることができるようにする構成も好ましく採用できる。
【産業上の利用可能性】
【００３９】
本発明は、既存建築物を解体することなく上方へと増築した増築建築物に対して適用されるものである。
【図面の簡単な説明】
【００４０】
【図１】本発明に係る換気構造付き増築建築物を示す概略断面図である。
【図２】本発明に係る換気構造付き増築建築物を示す概略断面図である。
【図３】本発明に係る換気構造付き増築建築物を示す概略断面図である。
【図４】本発明に係る換気構造付き増築建築物を示す概略断面図である。
【図５】本発明に係る換気構造付き増築建築物を示す概略断面図である。
【図６】図２及び図４の連絡部材と換気口の部分を拡大して抽出した図である。
【図７】図４示の増築建築物を概略的に示す外観図とその楕円内拡大図である。
【図８】図１の増築建築物において換気用通路にファンを配設した例を示す図である。
【図９】図２の増築建築物において換気用通路にファンを配設した例を示す図である。
【図１０】図３の増築建築物において換気用通路にファンを配設した例を示す図である。
【図１１】図４の増築建築物において換気用通路にファンを配設した例を示す図である。
【符号の説明】
【００４１】
１      増築建築物
２      既存建築物
３      支持部材（柱）
４      既存建築物の屋根
５      増築屋根
６      梁
７      新たな床部材
８      新たな居住空間
９      新たな壁部材
１１    換気口
１２    連絡部材
１３    ファン
１８    既存建築物の壁部材
Ａ      換気用通路（新たな壁部材と既存建築物の壁部材との間に形成される空間）
Ｂ      増築階の床下空間（新たな床部材と既存建築物の頂部との間に形成される空間）
【図１】
2006169834.tif 000003
【図２】
2006169834.tif 000004
【図３】
2006169834.tif 000005
【図４】
2006169834.tif 000006
【図５】
2006169834.tif 000007
【図６】
2006169834.tif 000008
【図７】
2006169834.tif 000009
【図８】
2006169834.tif 000010
【図９】
2006169834.tif 000011
【図１０】
2006169834.tif 000012
【図１１】
2006169834.tif 000013
【手続補正書】
【提出日】平成17年4月1日(2005.4.1)
【手続補正１】
【補正対象書類名】特許請求の範囲
【補正対象項目名】全文
【補正方法】変更
【補正の内容】
【特許請求の範囲】
【請求項１】
既存建築物の基礎の外側に増築用基礎が設けられ、この増築用基礎の上に支持部材が立設され、既存建築物の屋根の上方に前記支持部材の頂部で支持される増築屋根が設けられ、この増築屋根の下方であって且つ既存建築物の屋根の上方には前記支持部材の中途部で支持される新たな床部材が設けられ、この新たな床部材と前記増築屋根との間に新たな居住空間が設けられ、前記支持部材の外側には新たな壁部材が装着されてなる建築物であって、前記新たな壁部材と既存建築物の壁部材との間に形成される空間が、前記新たな床部材と前記既存建築物の頂部との間に形成される空間を換気するための換気用通路とされてなり、該換気用通路は換気口を介して外部と連通されており、前記新たな壁部材が既存建築物の周囲の上方部分のみを囲うように前記支持部材に装着され、該新たな壁部材の下端部と前記既存建築物の壁部材の表面を連絡する連絡部材が設けられ、前記換気口が該連絡部材に設けられてなることを特徴とする換気構造付き増築建築物。
【請求項２】
前記換気用通路に、該通路内の空気を前記換気口へと送るためのファンが配設されてなることを特徴とする請求項１記載の換気構造付き増築建築物。
【手続補正２】
【補正対象書類名】明細書
【補正対象項目名】０００８
【補正方法】変更
【補正の内容】
【０００８】
請求項１に係る発明は、既存建築物の基礎の外側に増築用基礎が設けられ、この増築用基礎の上に支持部材が立設され、既存建築物の屋根の上方に前記支持部材の頂部で支持される増築屋根が設けられ、この増築屋根の下方であって且つ既存建築物の屋根の上方には前記支持部材の中途部で支持される新たな床部材が設けられ、この新たな床部材と前記増築屋根との間に新たな居住空間が設けられ、前記支持部材の外側には新たな壁部材が装着されてなる建築物であって、前記新たな壁部材と既存建築物の壁部材との間に形成される空間が、前記新たな床部材と前記既存建築物の頂部との間に形成される空間を換気するための換気用通路とされてなり、該換気用通路は換気口を介して外部と連通されており、前記新たな壁部材が既存建築物の周囲の上方部分のみを囲うように前記支持部材に装着され、該新たな壁部材の下端部と前記既存建築物の壁部材の表面を連絡する連絡部材が設けられ、前記換気口が該連絡部材に設けられてなることを特徴とする換気構造付き増築建築物に関する。
【手続補正３】
【補正対象書類名】明細書
【補正対象項目名】０００９
【補正方法】変更
【補正の内容】
【０００９】
請求項２に係る発明は、前記換気用通路に、該通路内の空気を前記換気口へと送るためのファンが配設されてなることを特徴とする請求項１記載の換気構造付き増築建築物に関する。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項１に係る発明によれば、新たな壁部材と既存建築物の壁部材との間に形成される空間が、新たな床部材と前記既存建築物の頂部との間に形成される空間を換気するための換気用通路とされ、該換気用通路と外部とを連通させる換気口が設けられているので、増築階の床下空間の空気を、換気用通路及び換気口を介して外部の空気と入れ替えることが可能となる。従って、増築階の床下空間における湿気の増加を抑えることができ、建築部材の腐食や黴の発生を防止して、増築物の寿命を延ばすことが可能となる。
更に、新たな壁部材が既存建築物の周囲の上方部分のみを囲うように支持部材に装着されているので、地表近くからの湿気が既存建築物と新たな壁部材との間の空間に入り込みにくく、増築階の床下空間に湿気がたまりにくい。しかも、増築階の床下空間の空気を、新たな壁部材の下端部と既存建築物の壁部材の表面を連絡する連絡部材に設けられた換気口を介して外気と入れ替えることができるので、増築階の床下空間における湿気の増加を効果的に抑制することが可能となる。
【手続補正６】
【補正対象書類名】明細書
【補正対象項目名】００１２
【補正方法】変更
【補正の内容】
【００１２】
請求項２に係る発明によれば、換気用通路に、換気通路内の空気を換気口へと送るためのファンが配設されているので、増築階の床下空間の空気を、強制的に換気用通路及び換気口を介して外部の空気と入れ替えることが可能となり、高い湿気抑制効果を発揮することができる。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
以下、本発明に係る換気構造付き増築建築物の好適な実施形態について、図面を参照しつつ説明する。
図１及び図３は本発明に係る換気構造付き増築建築物の参考例を示す概略断面図であり、図２及び図４は本発明に係る換気構造付き増築建築物を示す概略断面図である。
本発明に係る増築建築物（１）は、既存建築物（２）の基礎の外側に増築用基礎を設け、増築用基礎の上に鉄骨柱等からなる支持部材（３）を立設し、既存建築物の屋根（４）の上方に支持部材（３）の頂部で支持される増築屋根（５）を設け、この増築屋根（５）の下方であって且つ既存建築物の屋根（４）の上方に支持部材（３）の中途部で支持される梁（６）を設け、この梁（６）の上部に新たな床部材（７）を設けることにより、新たな床部材（７）と増築屋根（５）との間に新たな居住空間（８）を設け、支持部材（３）の外側には新たな壁部材（９）を装着することにより得られた建築物である。
【手続補正９】
【補正対象書類名】明細書
【補正対象項目名】００４０
【補正方法】変更
【補正の内容】
【００４０】
【図１】本発明に係る換気構造付き増築建築物の参考例を示す概略断面図である。
【図２】本発明に係る換気構造付き増築建築物を示す概略断面図である。
【図３】本発明に係る換気構造付き増築建築物の参考例を示す概略断面図である。
【図４】本発明に係る換気構造付き増築建築物を示す概略断面図である。
【図５】本発明に係る換気構造付き増築建築物の参考例を示す概略断面図である。
【図６】図２及び図４の連絡部材と換気口の部分を拡大して抽出した図である。
【図７】図４示の増築建築物を概略的に示す外観図とその楕円内拡大図である。
【図８】図１の増築建築物において換気用通路にファンを配設した例を示す図である。
【図９】図２の増築建築物において換気用通路にファンを配設した例を示す図である。
【図１０】図３の増築建築物において換気用通路にファンを配設した例を示す図である。
【図１１】図４の増築建築物において換気用通路にファンを配設した例を示す図である。